(57)【要約】【課題】フロントピラーによる進行方向前方の死角領域の視界を補完することが可能となる運転支援装置、運転支援方法及びプログラムを提供する。【解決手段】ＣＰＵ４１は、地図情報ＤＢ２５に格納された地図情報から自車両２の前方の道路の形状に関する道路形状情報を取得する。また、ＣＰＵ４１は、運転者８の右側フロントピラー３によって生じる死角領域を算出する。そして、ＣＰＵ４１は、この算出した死角領域の少なくとも一部が、進行方向前方の道路に重なったと判定した場合には、カメラ４によって撮影された当該死角領域に対応する撮影画像をピラーディスプレイ７に表示する。その後、ＣＰＵ４１は、この算出した死角領域が、進行方向前方の道路に５秒以内に重ならないと判定した場合には、ピラーディスプレイ７の映像表示を停止する。【選択図】図５
2009184648.tif 000002
【特許請求の範囲】
【請求項１】
自車両の外部を撮影する撮影手段から画像データを取得する画像データ取得手段と、
前記自車両のフロントピラーによって生じる運転者の死角領域を算出する算出手段と、
前記自車両の進行方向前方の道路の形状に関する道路形状情報を取得する道路形状情報取得手段と、
前記道路形状情報に基づいて前記運転者の死角領域の少なくとも一部が前記進行方向前方の道路に重なるか否かを判定する死角領域判定手段と、
前記運転者の死角領域の少なくとも一部が前記進行方向前方の道路に重なったと判定された場合には、前記画像データを出力するように制御し、前記運転者の死角領域が前記進行方向前方の道路に重なっていないと判定された場合には、前記画像データを出力しないように制御する画像データ出力制御手段と、
を備えたことを特徴とする運転支援装置。
【請求項２】
前記画像データ出力制御手段は、前記画像データを出力するように制御した後、前記運転者の死角領域の少なくとも一部が前記進行方向前方の道路に所定時間以上重ならない場合に、前記画像データを出力しないように制御することを特徴とする請求項１に記載の運転支援装置。
【請求項３】
前記道路形状情報に基づいて前記自車両の進行方向前方の道路の形状が、所定距離以内で連続するカーブであるか否かを判定する連続カーブ判定手段を備え、
前記画像データ出力制御手段は、前記道路形状情報に基づいて前記自車両の進行方向前方の道路の形状が、所定距離以内で連続するカーブであると判定された場合には、前記画像データを出力後、最後のカーブを通過するまで、前記画像データを連続して出力するように制御することを特徴とする請求項１又は請求項２に記載の運転支援装置。
【請求項４】
自車両の外部を撮影する撮影手段から画像データを取得する画像データ取得工程と、
前記自車両のフロントピラーによって生じる運転者の死角領域を算出する算出工程と、
前記自車両の進行方向前方の道路の形状に関する道路形状情報を取得する道路形状情報取得工程と、
前記道路形状情報取得工程で取得した前記道路形状情報に基づいて前記算出工程で算出した前記運転者の死角領域の少なくとも一部が前記進行方向前方の道路に重なるか否かを判定する死角領域判定工程と、
前記死角領域判定工程で前記運転者の死角領域の少なくとも一部が前記進行方向前方の道路に重なったと判定された場合には、前記画像データ取得工程で取得した画像データを出力するように制御し、前記死角領域判定工程で前記運転者の死角領域が前記進行方向前方の道路に重なっていないと判定された場合には、前記画像データを出力しないように制御する画像データ出力制御工程と、
を備えたことを特徴とする運転支援方法。
【請求項５】
コンピュータに、
自車両の外部を撮影する撮影手段から画像データを取得する画像データ取得工程と、
前記自車両のフロントピラーによって生じる運転者の死角領域を算出する算出工程と、
前記自車両の進行方向前方の道路の形状に関する道路形状情報を取得する道路形状情報取得工程と、
前記道路形状情報取得工程で取得した前記道路形状情報に基づいて前記算出工程で算出した前記運転者の死角領域の少なくとも一部が前記進行方向前方の道路に重なるか否かを判定する死角領域判定工程と、
前記死角領域判定工程で前記運転者の死角領域の少なくとも一部が前記進行方向前方の道路に重なったと判定された場合には、前記画像データ取得工程で取得した画像データを出力するように制御し、前記死角領域判定工程で前記運転者の死角領域が前記進行方向前方の道路に重なっていないと判定された場合には、前記画像データを出力しないように制御する画像データ出力制御工程と、
を実行させるためのプログラム。
【発明の詳細な説明】
【技術分野】
【０００１】
本発明は、運転者の車両による死角方向の視界を補完する運転支援装置、運転支援方法及びプログラムに関するものである。
【背景技術】
【０００２】
従来より、運転者の車両による死角方向の視界を補完する技術に関し種々提案されている。
例えば、地図情報、車速センサ及び方向センサから自車両が低速で信号機の無い交差点に近づいた場合には、自車両の進行方向に対して死角となる道路方向の画像をディスプレイに表示させるように構成された運転支援装置がある（例えば、特許文献１参照。）。
【特許文献１】特開２０００−２３８５９４号公報（段落（００５９）〜（００６２）、図２１〜図２４）
【発明の開示】
【発明が解決しようとする課題】
【０００３】
しかしながら、前記した特許文献１に記載された運転支援装置では、自車両が交差点へ進入するタイミングに合わせて交差点画像を表示することができるが、進行方向前方の道路が交差点以外の場合、例えば、左カーブや右カーブ等の場合には、フロントピラーによる進行方向前方の死角領域の視界を補完することができないという問題がある。
【０００４】
そこで、本発明は、上述した問題点を解決するためになされたものであり、フロントピラーによる進行方向前方の死角領域の視界を補完することが可能となる運転支援装置、運転支援方法及びプログラムを提供することを目的とする。
【課題を解決するための手段】
【０００５】
前記目的を達成するため請求項１に係る運転支援装置は、自車両（２）の外部を撮影する撮影手段（４）から画像データを取得する画像データ取得手段（１３）と、前記自車両のフロントピラーによって生じる運転者の死角領域を算出する算出手段（１３）と、前記自車両の進行方向前方の道路の形状に関する道路形状情報を取得する道路形状情報取得手段（１３）と、前記道路形状情報に基づいて前記運転者の死角領域の少なくとも一部が前記進行方向前方の道路に重なるか否かを判定する死角領域判定手段（１３）と、前記運転者の死角領域の少なくとも一部が前記進行方向前方の道路に重なったと判定された場合には、前記画像データを出力するように制御し、前記運転者の死角領域が前記進行方向前方の道路に重なっていないと判定された場合には、前記画像データを出力しないように制御する画像データ出力制御手段（１３）と、を備えたことを特徴とする。
【０００６】
また、請求項２に係る運転支援装置は、請求項１に記載の運転支援装置（１）において、前記画像データ出力制御手段は、前記画像データを出力するように制御した後、前記運転者の死角領域の少なくとも一部が前記進行方向前方の道路に所定時間以上重ならない場合に、前記画像データを出力しないように制御することを特徴とする。
【０００７】
また、請求項３に係る運転支援装置は、請求項１又は請求項２に記載の運転支援装置（１）において、前記道路形状情報に基づいて前記自車両の進行方向前方の道路の形状が、所定距離以内で連続するカーブであるか否かを判定する連続カーブ判定手段（１３）を備え、前記画像データ出力制御手段（１３）は、前記道路形状情報に基づいて前記自車両の進行方向前方の道路の形状が、所定距離以内で連続するカーブであると判定された場合には、前記画像データを出力後、最後のカーブを通過するまで、前記画像データを連続して出力するように制御することを特徴とする。
【０００８】
また、請求項４に係る運転支援方法は、自車両の外部を撮影する撮影手段から画像データを取得する画像データ取得工程と、前記自車両のフロントピラーによって生じる運転者の死角領域を算出する算出工程と、前記自車両の進行方向前方の道路の形状に関する道路形状情報を取得する道路形状情報取得工程と、前記道路形状情報取得工程で取得した前記道路形状情報に基づいて前記算出工程で算出した前記運転者の死角領域の少なくとも一部が前記進行方向前方の道路に重なるか否かを判定する死角領域判定工程と、前記死角領域判定工程で前記運転者の死角領域の少なくとも一部が前記進行方向前方の道路に重なったと判定された場合には、前記画像データ取得工程で取得した画像データを出力するように制御し、前記死角領域判定工程で前記運転者の死角領域が前記進行方向前方の道路に重なっていないと判定された場合には、前記画像データを出力しないように制御する画像データ出力制御工程と、を備えたことを特徴とする。
【０００９】
更に、請求項５に係るプログラムは、コンピュータに、自車両の外部を撮影する撮影手段から画像データを取得する画像データ取得工程と、前記自車両のフロントピラーによって生じる運転者の死角領域を算出する算出工程と、前記自車両の進行方向前方の道路の形状に関する道路形状情報を取得する道路形状情報取得工程と、前記道路形状情報取得工程で取得した前記道路形状情報に基づいて前記算出工程で算出した前記運転者の死角領域の少なくとも一部が前記進行方向前方の道路に重なるか否かを判定する死角領域判定工程と、前記死角領域判定工程で前記運転者の死角領域の少なくとも一部が前記進行方向前方の道路に重なったと判定された場合には、前記画像データ取得工程で取得した画像データを出力するように制御し、前記死角領域判定工程で前記運転者の死角領域が前記進行方向前方の道路に重なっていないと判定された場合には、前記画像データを出力しないように制御する画像データ出力制御工程と、を実行させるためのプログラムである。
【発明の効果】
【００１０】
前記構成を有する請求項１に係る運転支援装置では、算出された自車両のフロントピラーによって生じる運転者の死角領域の少なくとも一部が、進行方向前方の道路に重なった場合には、運転者の死角領域に対応する画像データが出力されるため、該画像データを表示することが可能となる。これにより、運転者は、フロントピラーにより死角領域となった進行方向前方の道路状態を容易に把握することが可能となる。
【００１１】
また、運転者の死角領域が進行方向前方の道路に重なっていない場合には、運転者の死角領域に対応する画像データが出力されないため、該画像データは表示されない。これにより、運転者は、不必要な映像表示に注意を払うことを防止できる。
【００１２】
また、請求項２に係る運転支援装置では、運転者の死角領域に対応する画像データを表示後、運転者の死角領域が進行方向前方の道路に所定時間以上重ならない場合に、画像データの表示を停止する。これにより、運転者の死角領域に対応する画像表示の頻繁なＯＮ・ＯＦＦ切り換えを防止して、運転者の煩わしさを無くすることが可能となる。
【００１３】
また、請求項３に係る運転支援装置では、自車両の進行方向前方の道路の形状が、所定距離以内で連続するカーブである場合には、最後のカーブを通過するまで、フロントピラーによって生じる運転者の死角領域に対応する画像データを連続して表示することが可能となる。これにより、運転者の死角領域に対応する画像表示の頻繁なＯＮ・ＯＦＦ切り換えを防止して、運転者の煩わしさを無くすることが可能となる。
【００１４】
また、請求項４に係る運転支援方法と請求項５に係るプログラムにおいても、上記請求項１に係る運転支援装置と同様の効果を奏することができる。
【発明を実施するための最良の形態】
【００１５】
以下、本発明に係る運転支援装置、運転支援方法及びプログラムをナビゲーション装置について具体化した一実施例に基づき図面を参照しつつ詳細に説明する。
【実施例】
【００１６】
［車両の概略構成］
先ず、本実施例に係るナビゲーション装置が搭載される車両の概略構成について図１乃至図３に基づいて説明する。図１は本実施例に係るナビゲーション装置１が搭載される車両２の外観図である。図２はカメラの設置態様を示した図である。図３は右側フロントピラーに設けられたピラーディスプレイの一例を示す図である。
【００１７】
図１乃至図３に示すように、車両２の室内のセンターコンソール又はパネル面には、ナビゲーション装置１が設置されている。また、車両２の右側フロントピラー３の外側には、カラー画像を撮像するＣＣＤカメラ等により構成されたカメラ４が取り付けられている。また、図２に示すように、このカメラ４は、光軸方向Ｌを水平より所定角度下方に向けて設置される。また、カメラ４の光軸方向Ｌは車両２の右前方に向けられ、光軸方向Ｌを中心とした所定範囲内をカメラ４により周辺環境を撮影可能な撮影領域５とする。
【００１８】
また、図３に示すように、右側フロントピラー３の内側面には、液晶ディスプレイや有機ＥＬ（Electro-Luminescence）ディスプレイ等から構成されたピラーディスプレイ７が取り付けられている。そして、カメラ４は走行時及び停車時に車両２の右前方を撮影し、その撮影された撮影画像はＲＡＭ４２（図４参照）に一旦記憶される。その後に、後述のように右側フロントピラー３によって生じる死角領域に相当する範囲の画像が撮影画像から抽出され、ピラーディスプレイ７に表示される。尚、本実施例では、光軸方向Ｌは運転者８からの右側フロントピラー３の視認方向、即ち、運転者８から右側フロントピラー３により生じる死角領域の方向と同一方向となるように設定される。
【００１９】
また、車両２のフロントウィンドウＷ１の車室内から見て運転者８の前側の上端縁部には、運転者８の視点位置を検出するための左ドライバカメラ９Ａ及び右ドライバカメラ９Ｂとがほぼ水平に配置されている。また、本実施例では、各ドライバカメラ９Ａ、９Ｂによって撮影された画像データは、後述のように視点検出ＥＣＵ（ElectronicControl Unit）５１（図４参照）に入力され、運転者８の視点位置が検出されてナビゲーション装置１に出力される。そして、後述のようにナビゲーション装置１は、視点検出ＥＣＵ５１の検出結果に基づいて、右側フロントピラー３による運転者８の死角領域を算出する。
【００２０】
［ナビゲーション装置の概略構成］
次に、本実施例に係る車両２の制御系に係る構成について特にナビゲーション装置１を中心にして図４に基づき説明する。図４は車両２に搭載されるナビゲーション装置１を中心とした制御系を模式的に示すブロック図である。
【００２１】
図４に示すように、車両２の制御系は、ナビゲーション装置１と、このナビゲーション装置１に対して電気的に接続されたカメラ４、ピラーディスプレイ７、視点検出ＥＣＵ５１を基本にして構成され、各制御装置に対して所定の周辺機器が接続されている。
【００２２】
このナビゲーション装置１は、自車の現在位置（以下、「自車位置」という。）を検出する現在地検出部１１と、各種のデータが記録されたデータ記録部１２と、入力された情報に基づいて、各種の演算処理を行うナビゲーション制御部１３と、操作者からの操作を受け付ける操作部１４と、操作者に対して地図等の情報を表示する液晶ディスプレイ（ＬＣＤ）１５と、経路案内に関する音声ガイダンスを出力するスピーカ１６と、道路交通情報センタ（ＶＩＣＳ：登録商標）等の情報センタとの間で相互に通信を行う通信装置１７等から構成されている。また、ナビゲーション制御部１３には、自車の走行速度を検出する車速センサ２１が接続されている。
【００２３】
以下に、ナビゲーション装置１を構成する各構成要素について説明する。
図４に示すように、現在地検出部１１は、ＧＰＳ３１、方位センサ３２、距離センサ３３、高度計（図示せず）等からなり、自車位置、自車方位等を検出することが可能となっている。
【００２４】
また、データ記録部１２は、外部記憶装置及び記録媒体としてのハードディスク（図示せず）と、ハードディスクに記憶された地図情報データベース（地図情報ＤＢ）２５、カメラパラメータデータベース（カメラパラメータＤＢ）２６及び所定のプログラム等を読み出すとともにハードディスクに所定のデータを書き込む為のドライバである記録ヘッド（図示せず）とを備えている。
【００２５】
また、地図情報ＤＢ２５には、経路案内及び地図表示に必要な各種情報から構成されており、例えば、各新設道路を特定するための新設道路情報、地図を表示するための地図表示データ、各交差点に関する交差点データ、ノード点に関するノードデータ、道路（リンク）に関するリンクデータ、経路を探索するための探索データ、施設の一種である店舗等のＰＯＩ（Pointof Interest）に関する店舗データ、地点を検索するための検索データ等から構成されている。また、地図情報ＤＢ２５の内容は、不図示の情報配信センタから通信装置１７を介して配信された更新情報をダウンロードすることによって更新される。
【００２６】
また、カメラパラメータＤＢ２６は、カメラ４に関する各種パラメータが記憶されている。例えば、本実施例ではカメラパラメータＤＢ２６に記憶される情報として、カメラ４の車両２に対する設置位置、設置角度、撮影範囲、カメラ撮像平面（図６参照）等が記憶される。そして、ナビゲーション装置１のＣＰＵ４１は、カメラパラメータＤＢ２６に記憶された各種パラメータを用いてカメラ４で撮影した撮影画像から、右側フロントピラー３により生じる死角領域に相当する画像を抽出する。
【００２７】
また、図４に示すように、ナビゲーション装置１を構成するナビゲーション制御部１３は、ナビゲーション装置１の全体の制御を行う演算装置及び制御装置としてのＣＰＵ４１、並びにＣＰＵ４１が各種の演算処理を行うに当たってワーキングメモリとして使用されるとともに、経路が探索されたときの経路データ等が記憶されるＲＡＭ４２、制御用のプログラムのほか、後述の走行状況に従って進行方向前方の道路の映像をピラーディスプレイ７に表示する画像表示処理プログラム（図５参照）が記憶されたＲＯＭ４３、ＲＯＭ４３から読み出したプログラムを記憶するフラッシュメモリ４４等の内部記憶装置や、時間を計測するタイマ４５等を備えている。
【００２８】
また、本実施例においては、前記ＲＯＭ４３に各種のプログラムが記憶され、前記データ記録部１２に各種のデータが記憶されるようになっているが、プログラム、データ等を同じ外部記憶装置、メモリーカード等からプログラム、データ等を読み出して前記フラッシュメモリ４４に書き込むこともできる。更に、メモリーカード等を交換することによって前記プログラム、データ等を更新することができる。
【００２９】
更に、前記ナビゲーション制御部１３には、操作部１４、液晶ディスプレイ１５、スピーカ１６、通信装置１７の各周辺装置（アクチュエータ）が電気的に接続されている。
【００３０】
操作部１４は、走行開始時の現在地を修正し、案内開始地点としての出発地及び案内終了地点としての目的地を入力する際や施設に関する情報の検索を行う際等に操作され、各種のキー等の複数の操作スイッチから構成される。そして、ナビゲーション制御部１３は、各スイッチの押下等により出力されるスイッチ信号に基づき、対応する各種の動作を実行すべく制御を行う。尚、操作部１４としては、キーボード、マウス等や、液晶ディスプレイ１５の前面に設けたタッチパネルによって構成することもできる。
また、液晶ディスプレイ１５には、操作案内、操作メニュー、キーの案内、現在地から目的地までの誘導経路、誘導経路に沿った案内情報、交通情報、ニュース、天気予報、時刻、メール、テレビ番組等が表示される。
【００３１】
また、スピーカ１６は、ナビゲーション制御部１３からの指示に基づいて、誘導経路に沿った走行案内や、交差点や横断歩道での停止又は安全確認を警告する音声案内等を出力する。ここで、案内される音声ガイダンスとしては、例えば、「２００ｍ先、○○交差点を右方向です。」等である。
【００３２】
そして、通信装置１７は、情報配信センタと通信を行う携帯電話網等による通信手段であり、情報配信センタとの間で最もバージョンの新しい更新地図情報等の送受信を行う。また、通信装置１７は情報配信センタに加えて、道路交通情報センタ（ＶＩＣＳ（登録商標））等から送信された渋滞情報やサービスエリアの混雑状況等の各情報から成る交通情報を受信する。
【００３３】
また、視点検出ＥＣＵ５１は、ナビゲーション制御部１３から送信された制御情報を受信するデータ受信部５１Ａを備えると共に、この受信した制御情報に基づき各ドライバカメラ９Ａ、９Ｂを制御すると共に運転者８の顔の向き、目の位置、視点位置等を検出する視点位置検出部５１Ｂを備えている。そして、視点検出ＥＣＵ５１は、ナビゲーション制御部１３から受信した制御信号に基づいて、運転者８の頭部位置、顔の向き、目の位置、視点位置等のデータを出力する。
【００３４】
［画像表示処理］
次に、上記のように構成されたナビゲーション装置１のＣＰＵ４１が実行する処理であって、走行状況に従って進行方向前方の道路の映像をピラーディスプレイ７に表示する画像表示処理について図５乃至図７に基づいて説明する。
図５は走行状況に従って進行方向前方の道路の映像をピラーディスプレイ７に表示する画像表示処理を示すフローチャートである。図６は車両２が走行する場合の死角領域の変化を示した図である。図７は車両２が右カーブを走行する場合のピラーディスプレイ７のＯＮ・ＯＦＦを示す説明図である。
尚、図５にフローチャートで示されるプログラムはナビゲーション装置１のナビゲーション制御部１３が備えているＲＯＭ４３に記憶されており、ＣＰＵ４１によって所定時間毎に（例えば、約０．１秒毎である。）実行される。
【００３５】
図５に示すように、先ず、ステップ（以下、Ｓと略記する）１１において、ＣＰＵ４１は、現在地検出部１１により自車位置及び自車の向きを表す自車方位を検出して、自車位置を表す座標データ（例えば、緯度と経度のデータである。）と自車方位をＲＡＭ４２に記憶する。また、ＣＰＵ４１は、地図情報ＤＢ２５に格納される地図情報から自車両２の前方（例えば、自車位置から約２００ｍ〜３００ｍ前方までである。）の道路の形状に関する道路形状情報、例えば、ノードデータやリンクデータを取得してＲＡＭ４２に記憶する。
【００３６】
ここで、ノードデータとしては、実際の道路の分岐点（交差点、Ｔ字路等も含む）、各道路に曲率半径等に応じて所定の距離ごとに設定されたノード点の座標（位置）、ノードが交差点に対応するノードであるか等を表すノード属性、ノードに接続するリンクの識別番号であるリンクＩＤのリストである接続リンク番号リスト、ノードにリンクを介して隣接するノードのノード番号のリストである隣接ノード番号リスト、各ノード点の標高等に関するデータである。
【００３７】
また、リンクデータとしては、道路を構成する各道路リンク（以下、「リンク」という。）に関してリンクの属する道路の幅員、勾（こう）配、カント、バンク、路面の状態、道路の車線数、車線数の減少する箇所、幅員の狭くなる箇所、踏切り等を表すデータが、コーナに関して、曲率半径、交差点、Ｔ字路、コーナの入口及び出口等を表すデータが、道路属性に関して、降坂路、登坂路等を表すデータが、道路種別に関して、国道、県道、細街路等の一般道のほか、高速自動車国道、都市高速道路、一般有料道路、有料橋等の有料道路を表すデータである。
【００３８】
そして、Ｓ１２において、ＣＰＵ４１は、視点検出ＥＣＵ５１から運転者８の頭部位置、顔の向き、目の位置、視点位置等のデータを取得して、ＲＡＭ４２に記憶する。
続いて、Ｓ１３において、ＣＰＵ４１は、車速センサ２１の検出結果に基づいて自車両２の車速を取得する。そして、ＣＰＵ４１は、自車位置、自車方位や車速等の自車両２の走行状況を用いて、所定時間経過後の自車位置を予測し、更に、予測された位置にある自車両２の死角領域を算出する。尚、所定時間はカメラ４により周辺環境を撮影してから撮影画像をピラーディスプレイ７に表示するまでに必要な時間であり、その値はカメラ４やＣＰＵ４１の性能によって決定される。例えば本実施例では約０．１秒とする。
【００３９】
ここで、上記Ｓ１３で実行される所定時間経過後（即ち、撮影画像を表示する時点）の自車両２の死角領域の算出処理について図６を用いて詳細に説明する。
図６に示すように、先ず、ＣＰＵ４１は、上記Ｓ１２で取得した運転者８の頭部位置、顔の向き、目の位置、視点位置等のデータと、予測した所定時間経過後の自車位置とに基づいて、所定時間経過後の自車位置を予測する。更に、予測された自車位置に基づいて、所定時間経過後の運転者８の頭部位置と視点位置を予測する。
そして、ＣＰＵ４１は、所定時間経過後における運転者８の頭部位置と視点位置の予測結果と、運転者８の頭部位置に対する右側フロントピラー３の位置と形状とに基づいて、所定時間経過後における運転者８の右側フロントピラー３により生じる死角範囲を算出する。
【００４０】
そして、所定時間経過後の運転者８の右側フロントピラー３により生じる死角範囲に基づいて、所定時間経過後の仮想平面Ｘを設定する。ここで、仮想平面Ｘは、カメラ４からの視界と運転者８からの視界の歪みを補正するための平面であり、運転者８の視点を原点とし、運転者の視角に合わせて設定した仮想面である。尚、仮想平面Ｘは、運転者８の予測頭部位置と右側フロントピラー３の中心を結ぶ線Ｈに垂直であって、且つ車両２から所定距離（例えば、約３０ｍである。）の位置に設定される。
【００４１】
続いて、ＣＰＵ４１は、所定時間経過後の運転者８の死角範囲と仮想平面Ｘとの重複領域Ｐ１〜Ｐ２を算出し、この重複領域Ｐ１〜Ｐ２の各端点Ｐ１、Ｐ２の位置座標（例えば、経度と緯度である。）をＲＡＭ４２に記憶する。そして、運転者８の頭部位置と各端点Ｐ１、Ｐ２を結ぶ三角形の領域をピラーディスプレイ７に表示する死角領域６１としてＲＡＭ４２に記憶する。
【００４２】
その後、Ｓ１４において、ＣＰＵ４１は、上記Ｓ１１で取得した自車両２の進行方向前方の道路の形状に関する道路形状情報を読み出し、上記Ｓ１３で算出した所定時間経過後の運転者８の死角領域の少なくとも一部が、進行方向前方の道路に重なるか否かを判定する判定処理を実行する。
【００４３】
そして、所定時間経過後の運転者８の死角領域の少なくとも一部が、進行方向前方の道路に重なったと判定された場合には（Ｓ１４：ＹＥＳ）、ＣＰＵ４１は、Ｓ１５の処理に移行する。例えば、図７に示すように、自車両２の進行方向前方の道路７０の道路形状が右カーブであった場合に、運転者８の死角領域７１の端点Ｐ１が右カーブに重なっていない状態から、所定時間経過後の運転者８の死角領域７２の端点Ｐ１が右カーブに重なった場合には（Ｓ１４：ＹＥＳ）、ＣＰＵ４１は、Ｓ１５の処理に移行する。
【００４４】
続いて、図５に示すように、Ｓ１５において、ＣＰＵ４１は、カメラ４によって撮影された運転者８の右側フロントピラー３によって生じる死角領域の撮影画像データをピラーディスプレイ７に出力して、該運転者８の右側フロントピラー３によって遮られた進行方向前方の道路の映像表示を開始後、当該処理を終了する。
【００４５】
ここで、カメラ４によって撮影された運転者８の右側フロントピラー３によって生じる死角領域の撮影画像データのピラーディスプレイ７への表示処理について図６に基づいて説明する。
図６に示すように、ＣＰＵ４１は、上記Ｓ１３の処理において取得した仮想平面Ｘに対応するカメラ撮影平面Ｙを取得する。尚、カメラ撮影平面Ｙは予めカメラ４の設計値（解像度や車体に対する設置角度等）等から決定されており、カメラパラメータＤＢ２６に記憶されている。そして、カメラ４はピントをカメラ撮影平面Ｙに合わせて撮影する。
【００４６】
続いて、ＣＰＵ４１は、運転者８の死角範囲と仮想平面Ｘとの重複領域Ｐ１〜Ｐ２をカメラ４の視界と一致させた視界領域（即ち、カメラから見た所定時間経過後の運転者の死角領域）を算出し、算出した視界領域とカメラ撮影平面Ｙとの重複する領域Ｑ１〜Ｑ２を、所定時間後（撮像画像を表示する時点）の車両２の死角領域に相当する画像範囲６２として特定する。そして、ＣＰＵ４１は、画像範囲６２の画像をカメラ４のカメラ撮影平面Ｙにピントを合わせて撮影した撮影画像から抽出する。
【００４７】
そして、ＣＰＵ４１は、この抽出した画像範囲６２の画像を仮想平面Ｘに投影変換する。尚、この投影変換は、カメラ撮影平面Ｙの内、画像範囲６２にある画像の各画素を、仮想平面Ｘの各画素に座標変換する処理であり、公知の座標変換を用いて行われる。更に、ＣＰＵ４１は、仮想平面Ｘに投影変換した画像を、ＲＯＭ４３に記憶された右側フロントピラー３の形状に合わせて変換し、ピラーディスプレイ７に出力するための画像データとする。その後、ＣＰＵ４１は、この画像データをピラーディスプレイ７に出力することにより、右側フロントピラー３の内側に設けられたピラーディスプレイ７に、該右側フロントピラー３によって遮られた進行方向前方の道路の映像が表示される。
【００４８】
一方、図５に示すように、所定時間経過後の運転者８の死角領域が、進行方向前方の道路に重なっていないと判定された場合には（Ｓ１４：ＮＯ）、ＣＰＵ４１は、Ｓ１６の処理に移行する。例えば、図７に示すように、自車両２の進行方向前方の道路７０の道路形状が右カーブであった場合に、運転者８の死角領域７３が右カーブに重なっていた状態から、所定時間経過後の運転者８の死角領域７４の端点Ｐ１が右カーブに重なっていない場合には（Ｓ１４：ＮＯ）、ＣＰＵ４１は、Ｓ１６の処理に移行する。
【００４９】
Ｓ１６において、ＣＰＵ４１は、死角領域の撮影画像データをピラーディスプレイ７に出力して、該運転者８の右側フロントピラー３によって遮られた進行方向前方の映像を表示しているか否かを判定する判定処理を実行する。
そして、ピラーディスプレイ７に運転者８の右側フロントピラー３によって遮られた進行方向前方の映像を表示していない場合には（Ｓ１６：ＮＯ）、ＣＰＵ４１は、当該処理を終了する。
【００５０】
一方、ピラーディスプレイ７に運転者８の右側フロントピラー３によって遮られた進行方向前方の映像を表示している場合には（Ｓ１６：ＹＥＳ）、ＣＰＵ４１は、Ｓ１７の処理に移行する。Ｓ１７において、ＣＰＵ４１は、現在位置から約５秒後までに、運転者８の死角領域が、再度道路に重なるか否かを判定する判定処理を実行する。尚、５秒以内に限らず、ピラーディスプレイ７の映像表示の頻繁なＯＮ・ＯＦＦ切り換えを防止する適切な時間であればよい。
【００５１】
具体的には、ＣＰＵ４１は、上記Ｓ１１で取得した自車両２の進行方向前方の道路の形状に関する道路形状情報を再度読み出す。また、ＣＰＵ４１は、自車位置、自車方位や車速等の自車両２の走行状況を用いて、現在位置から約０．１秒毎の自車位置を予測し、更に、この約０．１秒毎の予測された位置における運転者８の右側フロントピラー３による各死角領域を算出する。尚、ＣＰＵ４１は、現在位置から約５秒後までの自車両２の０．１秒毎に予測された各位置における運転者８の各死角領域を算出する。
【００５２】
続いて、ＣＰＵ４１は、現在位置から約５秒後まで算出した運転者８の各死角領域について、いずれかの死角領域の少なくとも一部が、進行方向前方の道路に重なるか否かを判定する判定処理を実行する。
そして、現在位置から約５秒後まで算出した運転者８の各死角領域について、いずれかの死角領域の少なくとも一部が、進行方向前方の道路に重なった場合には（Ｓ１７：ＹＥＳ）、ＣＰＵ４１は、再度Ｓ１５以降の処理を実行後、当該処理を終了する。
【００５３】
一方、現在位置から約５秒後まで算出した運転者８の各死角領域について、いずれの死角領域も進行方向前方の道路に重ならない場合には（Ｓ１７：ＮＯ）、ＣＰＵ４１は、Ｓ１８の処理に移行する。Ｓ１８において、ＣＰＵ４１は、ピラーディスプレイ７へのカメラ４によって撮影された運転者８の右側フロントピラー３によって生じる死角領域の撮影画像データの出力を停止して、ピラーディスプレイ７による映像表示を停止した後、当該処理を終了する。
【００５４】
［上記実施例の効果］
以上詳細に説明した通り、本実施例に係るナビゲーション装置１では、ＣＰＵ４１は、地図情報ＤＢ２５に格納された地図情報から自車両２の前方の道路の形状に関する道路形状情報を取得する。また、ＣＰＵ４１は、所定時間経過後の運転者８の右側フロントピラー３によって生じる死角領域を算出する。そして、ＣＰＵ４１は、この算出した死角領域の少なくとも一部が、進行方向前方の道路に重なったと判定した場合には、カメラ４によって撮影された当該死角領域に対応する撮影画像データをピラーディスプレイ７に出力して、該運転者８の右側フロントピラー３によって遮られた進行方向前方の道路の映像表示を開始する（Ｓ１１〜Ｓ１４：ＹＥＳ〜Ｓ１５）。
【００５５】
従って、運転者８はピラーディスプレイ７に表示された映像を見ることによって、進行方向前方の道路を右側フロントピラー３によって遮られることなく連続して注視することが可能となり、安全運転に役立てることができる。
【００５６】
また、運転者８の死角領域が道路に重ならなくなっても、この死角領域が約５秒以内に再度、道路に重なる場合には、ＣＰＵ４１は、死角領域に対応する撮影画像データをピラーディスプレイ７に出力して、該運転者８の右側フロントピラー３によって遮られた進行方向前方の道路の映像表示を継続する（Ｓ１４：ＮＯ〜Ｓ１７：ＹＥＳ〜Ｓ１５）。
【００５７】
従って、例えば、Ｓ字カーブ等のように、右カーブと左カーブが連続する道路形状の場合には、図７に示すように、運転者８の死角領域７４の端点Ｐ１が右カーブ７０に重ならなくなってから約５秒後までに、左カーブを通過後、再度、次の右カーブになって、運転者８の死角領域が道路に重なる場合等には、ピラーディスプレイ７には、運転者８の右側フロントピラー３によって遮られた進行方向前方の道路の映像表示が継続される。
これにより、ピラーディスプレイ７の映像表示の頻繁なＯＮ・ＯＦＦ切り換えを防止して、運転者８の煩わしさを無くすることが可能となる。
【００５８】
一方、運転者８の死角領域が道路に重ならなくなってから約５秒以内に、再度道路に重ならない場合には、ＣＰＵ４１は、ピラーディスプレイ７による運転者８の右側フロントピラー３によって遮られた進行方向前方の映像表示を停止する（Ｓ１７：ＮＯ〜Ｓ１８）。
これにより、運転者８の死角領域が進行方向前方の道路に重なっていない場合には、ピラーディスプレイ７の映像表示が停止されるため、運転者８は不必要な死角領域の映像表示に注意を払うことを防止できる。
【００５９】
尚、本発明は前記実施例に限定されるものではなく、本発明の要旨を逸脱しない範囲内で種々の改良、変形が可能であることは勿論である。例えば、以下のようにしてもよい。
【００６０】
（Ａ）上記Ｓ１１で取得した自車両２の前方（例えば、自車位置から約３００ｍ前方までである。）の道路の形状が、Ｓ字状等の連続するカーブである場合には、ＣＰＵ４１は、先ず、上記Ｓ１５の処理で、カメラ４によって撮影された運転者８の右側フロントピラー３によって生じる死角領域の撮影画像データをピラーディスプレイ７に出力して、該運転者８の右側フロントピラー３によって遮られた進行方向前方の道路の映像表示を開始する。その後、ＣＰＵ４１は、自車両２が最後のカーブを通過するまで、カメラ４によって撮影された運転者８の右側フロントピラー３によって生じる死角領域の撮影画像データをピラーディスプレイ７に連続して出力して、該運転者８の右側フロントピラー３によって遮られた死角領域の映像を連続表示する。そして、ＣＰＵ４１は、自車両２が最後のカーブを通過した場合には、上記Ｓ１６の処理を実行するようにしてもよい。これにより、ピラーディスプレイ７の映像表示の頻繁なＯＮ・ＯＦＦ切り換えを防止して、運転者８の煩わしさを無くすることが可能となる。
【００６１】
（Ｂ）また、例えば、自車両２の左側フロントピラーにもカメラ４を設けると共に、この左側フロントピラーの内側にピラーディスプレイ７を設けるようにしてもよい。そして、ＣＰＵ４１は、左右の各フロントピラーによって生じた死角領域が、進行方向前方の道路に重なった場合には、該各フロントピラーによって遮られる進行方向前方の道路の映像を各ピラーディスプレイ７に表示するようにしてもよい。これにより、運転者８は、左右の各フロントピラーによって遮られる進行方向前方の道路を、各フロントピラーに遮られることなく注視することが可能となる。
【００６２】
（Ｃ）また、例えば、上記Ｓ１３において、ＣＰＵ４１は、現在時点での自車位置及び自車方位から自車両２の現在時点における死角領域を算出するようにしてもよい。そして、上記Ｓ１５において、ＣＰＵ４１は、上記Ｓ１３で設定した所定時間経過後の仮想平面Ｘに替えて、現在時点での仮想平面Ｘ２を設定する、つまり、運転者８の現在の頭部位置と右側フロントピラー３の中心を結ぶ線Ｈに垂直であって、且つ車両２から所定距離（例えば、約３０ｍである。）の位置に仮想平面Ｘ２を設定するようにしてもよい。そして、ＣＰＵ４１は、仮想平面Ｘ２に対応するカメラ４の現在の撮影画像データを取得して、この仮想平面Ｘ２に投影変換する。更に、ＣＰＵ４１は、この仮想平面Ｘ２に投影変換した画像をピラーディスプレイ７に表示するための画像データして出力するようにしてもよい。これにより、運転者８の死角領域の画像をピラーディスプレイ７にリアルタイムで表示することができる。
【図面の簡単な説明】
【００６３】
【図１】本実施例に係るナビゲーション装置が搭載される車両の外観図である。
【図２】カメラの設置態様を示した図である。
【図３】右側フロントピラーに設けられたピラーディスプレイの一例を示す図である。
【図４】車両に搭載されるナビゲーション装置を中心とした制御系を模式的に示すブロック図である。
【図５】走行状況に従って進行方向前方の道路の映像をピラーディスプレイに表示する画像表示処理を示すフローチャートである。
【図６】車両が走行する場合の死角領域の変化を示した図である。
【図７】車両が右カーブを走行する場合のピラーディスプレイのＯＮ・ＯＦＦを示す説明図である。
【符号の説明】
【００６４】
１              ナビゲーション装置
２              車両（自車両）
３              右側フロントピラー
４              カメラ
７              ピラーディスプレイ
８              運転者
１１            現在地検出部
１２            データ記録部
１３            ナビゲーション制御部
２５            地図情報ＤＢ
２６            カメラパラメータＤＢ
４１            ＣＰＵ
４２            ＲＡＭ
４３            ＲＯＭ
５１            視点検出ＥＣＵ
【図１】
2009184648.tif 000003
【図２】
2009184648.tif 000004
【図３】
2009184648.tif 000005
【図４】
2009184648.tif 000006
【図５】
2009184648.tif 000007
【図６】
2009184648.tif 000008
【図７】
2009184648.tif 000009